(57)【特許請求の範囲】
【請求項１】
内部に空洞を有してなる楽器本体の１つの面板に弦振動に係わる弦振動系の部品群を取り付け、
この弦振動系の部品群は少なくとも本体側の弦固定部材及びネックを有し、これらが剛性の高い材料からなる補強部材を介して当該１つの面板に取り付けられていることを特徴とする弦楽器。
【請求項２】
弦振動に係わる弦振動系の部品群を取り付けられた前記楽器本体の１つの面板は、張設された弦の直下の面板に対向する面板であることを特徴とする請求項１記載の弦楽器。
【請求項３】
楽器本体を上ケースと下ケースとで構成し、この下ケースに弦振動に係わる弦振動系の部品群を取り付け、
この弦振動系の部品群は少なくとも本体側の弦固定部材及びネックを有し、これらが剛性の高い材料からなる補強部材を介して当該下ケースに取り付けられていることを特徴とする弦楽器。
【請求項４】
前記上ケースは、張設された弦の直下に位置することを特徴とする請求項３記載の弦楽器。
【請求項５】
前記上ケースと下ケースとの間には振動吸収部材が介在されていることを特徴とする請求項３記載の弦楽器。
【発明の詳細な説明】
【０００１】
【産業上の利用分野】
この発明は、電気ギターなどの弦楽器に関する。
【０００２】
【従来の技術】
電気ギターにおいては、楽器本体に様々な付加価値装置、例えばカセットテープレコーダやコンパクトディスクなどの記録再生装置、楽音に効果（エコー、コーラスなど）を付加するエフェクタ、およびスピーカなどを内蔵させ、演奏者が演奏や作曲思考などを中断せずに音楽を楽しむことができるようになっている。例えば、カセットテープレコーダやコンパクトディスクなどの記録再生装置を内蔵させることで、１人でアンサンブルを楽しんだり、あるいは作曲を楽しんだりすることができる。また、エフェクタを内蔵させることで、スタジオなどでのセッティング作業を軽減することができる。さらに、スピーカを内蔵させることで、外部アンプなしで楽音を楽しむことができる。
【０００３】
【発明が解決しようとする課題】
しかしながら、このような電気ギターでは、上述した付加価値装置が振動に弱いため、演奏時に弦振動の影響を受けやすく、特にテープレコーダなどは弦振動を受けると動作が不安定になるという問題がある。また、電気ギターなどの弦楽器では、体を動かしながら演奏することが多いため、必然的に楽器本体が回動するような動きをし、この動きに伴ってカセットテープレコーダなどの記録再生装置が回動運動すると、記録再生装置に回転ムラが生じやすくなり、記録再生装置の動作が不安定になるという問題がある。さらに、このような電気ギターでは、１つのギターを機能の異なる他の機種に簡単に変更することができないため、異なる機能を有する多様な種類のギターを生産するには、製造工程が煩雑になり、製造コストが高くなるという問題がある。
【０００４】
この発明は上記事情に鑑みてなされたもので、第１の目的は演奏時に付加価値装置などの振動に弱い第２部品群が弦振動の影響を受けにくくした弦楽器を提供することであり、また第２の目的は演奏時にカセットテープレコーダなどの記録再生装置が回動するような動きを防ぎ、記録再生装置を安定して動作させることのできる弦楽器を提供することであり、さらに第３の目的は機能の異なる他の機種に簡単に変えることのできる弦楽器を提供することである。
【０００５】
【課題を解決するための手段】
請求項１記載の発明は、内部に空洞を有してなる楽器本体の１つの面板に弦振動に係わる弦振動系の部品群を取り付け、この弦振動系の部品群は少なくとも本体側の弦固定部材及びネックを有し、これらが剛性の高い材料からなる補強部材を介して当該１つの面板に取り付けたものである。
この弦振動に係わる弦振動系の部品群を取り付けられた楽器本体の１つの面板は、張設された弦の直下の面板に対向する面板であってもよい。
請求項３記載の発明は、楽器本体を上ケースと下ケースとで構成し、この下ケースに弦振動に係わる弦振動系の部品群を取り付け、この弦振動系の部品群は少なくとも本体側の弦固定部材及びネックを有し、これらが剛性の高い材料からなる補強部材を介して当該下ケースに取り付けられたものである。
この上ケースは、張設された弦の直下に位置するようにしてもよい。
更に、上ケースと下ケースとの間には振動吸収部材を介在させるようにしても良い。
【０００６】
【作用】
請求項１、及び請求項３記載の発明によれば、楽器本体の１つの面板、或いは下ケースに弦振動に係わる弦振動系の部品群を取り付け、この弦振動系の部品群は少なくとも本体側の弦固定部材及びネックを有し、これらが剛性の高い材料からなる補強部材を介して当該１つの面板或いは下ケースに取り付けるようにしたので、弦振動系の部品群は強固に取り付けることができる。
この場合に、弦振動に係わる弦振動系の部品群を取り付けられた楽器本体の１つの面板、或いは下ケースは、張設された弦の直下の面板或いは上ケースに対向するようにしたので、上ケースに取り付けられた振動によって動作が不安定になる部品に振動が伝わりにくくすることができる。
更に、上ケースと下ケースとの間に振動吸収部材を介在させることで、より一層、振動によって動作が不安定になる部品に対して振動を伝えないようにすることができる。
【０００７】
【実施例】
以下、図１〜図４を参照して、この発明に係る弦楽器の第１実施例について説明する。
図１は電気ギターの正面図、図２はその要部分解斜視図、図３は図１のＡ−Ａ断面図、図４は図３の要部拡大図である。これらの図において、楽器本体１は下ケース（第１ケース）２と上ケース（第２ケース）３とからなっている。
下ケース２は底板部２ａの上面周縁部に側壁２ｂを合成樹脂で一体に成形したものである。底板部２ａのほぼ中央部と右端部には、図２に示すように４本の取付ボス４が立設されており、これら取付ボス４上には補強板（補強部材）５がビス止めされ、この補強板５にはネック６がビス止めされている。この場合、補強板５は金属などの剛性の高い材料よりなり、断面ほぼコ字状に形成され、下ケース２に対してネック６を強固に取り付けるようになっている。また、底板部２ａのほぼ中央には調整蓋７が開閉可能に取り付けられ、底板部２ａの左手前側には電池収納部８および接続用のジャック９が設けられている。さらに、下ケース２の側壁２ｂの左手前と右奥にはそれぞれストラップ取付金具１０がビス１１によって取り付けられ、これら取付金具１０には演奏者の肩に掛けるストラップ（図示せず）が着脱可能に取り付けられるようになっている。
【０００８】
一方、上ケース３は、下ケース２と同様、上板部３ａの下面周縁部に側壁３ｂを合成樹脂で一体に成形したものである。上板部３ａのほぼ中央部にはブリッジ配置部１５およびピックアップ取付部１６が設けられ、ブリッジ配置部１５の上方には後述するようにブリッジ基板１７が配置され、ピックアップ取付部１６には後述する弦４０の振動を電気信号に変換して出力するピックアップ１８がコイルバネ１８ａを介してビス止めされている。上板部３ａの左手前側および右奥側には放音孔部１９がそれぞれ設けられ、各放音孔部１９にはそれぞれスピーカ２０がビス止めされている。上板部３ａの左奥側にはテープレコーダ取付部２１およびレコーダスイッチ取付部２２が設けられ、テープレコーダ取付部２１にはテープレコーダ本体２３がビス止めされ、レコーダスイッチ取付部２２にはテープレコーダのスイッチ群２４がビス止めされている。上板部３ａの奥側中間部には基板取付部２５が設けられ、基板取付部２５にはエフェクト機能を搭載した回路基板２６がビス止めされ、この回路基板２６に設けられたエフェクト機能の効果音を選択調整するための各種の押釦２６ａが基板取付部２５の釦挿入孔２５ａにそれぞれ挿入されている。さらに、上板部３ａの手前側中間部には２つの取付孔２７が設けられ、各取付孔２７にはボリュウムスイッチ２８およびアナログ的に音色を変える音色スイッチ２９が取り付けられ、各スイッチ２８、２９にはそれぞれ操作つまみ２８ａ、２９ａが上ケース３の上方に突出した状態で取り付けられている。なお、テープレコーダ本体２３、回路基板２６、およびスピーカ２０は付加価値装置に相当し、これら付加価値装置などが第２部品群に相当する。
【０００９】
そして、下ケース２と上ケース３とは、図３および図４に示すように、下ケース２の側壁２ｂの上端部と上ケース３の側壁３ｂの下端部との間にゴムなどからなる振動吸収部材３０が介在されて重ね合わされ、この状態で下ケース２の下側から、その側壁２ｂに沿って設けられたビス挿入ボス３１にビス３２を挿入し、このビス３２を上ケース３に設けられたビス取付ボス３３に螺着することにより、一体的に取り付けられている。この場合、振動吸収部材３０は、図４に示すように断面形状がほぼＨ形に形成された帯状のものであり、下ケース２の側壁２ｂの上端部と上ケース３の側壁３ｂの下端部とがそれぞれ上下方向から嵌め込まれ、ビス３２の締め付けによって圧接している。
【００１０】
ところで、上ケース３のブリッジ配置部１５の上方に配置されるブリッジ基板１７は、に示すように、２本の取付ピン３５により補強板５に上下方向に搖動可能に取り付けられている。この場合、ブリッジ基板１７上には駒３６が設けられ、ブリッジ基板１７の下面にはトレモロブロック３７が設けられている。そして、トレモロブロック３７の下端部とネック６の先端のヘッド３８に設けられた６個のペグ３９との間には、６本の弦４０が、トレモロブロック３７およびブリッジ基板１７の各孔（図示せず）内を通り、かつ駒３６の上部からネック６の上方で張り渡されている。また、トレモロブロック３７の下端部と補強板５との間には、弦４０の張力に対抗するコイルバネ４１が取り付けられている。これにより、ブリッジ基板１７は弦４０の張力とコイルバネ４１の張力とで上ケース３のブリッジ配置部１５の上方にバランスが取られた状態で配置されている。なお、ブリッジ基板１７およびトレモロブロック３７には、音高を高くしたり低くしたりするためのトレモロアーム４２が取り付けられている。したがって、ブリッジ基板１７、駒３６、トレモロブロック３７、およびコイルバネ４１が本体側の弦固定部材に相当し、この本体側の弦固定部材、ネック６、ヘッド３８、ペグ３９およびトレモロアーム４２が弦振動系の第１部品群に相当し、この弦振動系の第１部品群が補強板５を介して下ケース２に取り付けられていることになる。
【００１１】
このような電気ギターでは、楽器本体１の下ケース２に、ブリッジ基板１７などの本体側の弦固定部材、ネック６、ヘッド３８、ペグ３９およびトレモロアーム４２などの弦振動系の第１部品群が補強板５を介して取り付けられ、楽器本体１の上ケース３に、テープレコーダ本体２３、回路基板２６、およびスピーカ２０などの付加価値装置の第２部品群が取り付けられ、下ケース２の側壁２ｂの上端部と上ケース３の側壁３ｂの下端部との間に振動吸収部材３０が介在されているので、演奏時に第１部品群の弦振動およびトレモロアーム４２の操作による振動が下ケース２に伝わっても、振動吸収部材３０で吸収され、上ケース３を介して第２部品群に伝わりにくくすることができ、これにより第２部品群が第１部品群の弦振動の影響を受けにくくなり、テープレコーダ本体２３などの付加価値装置を安定して動作させることができる。この場合、特に弦振動系の第１部品群を補強板５を介して下ケース２に取り付けたから、本体側の弦固定部材やネック６などの第１部品群を下ケース２に対して極めて強固に取り付けることができる。
【００１２】
また、この電気ギターでは、記録再生装置であるテープレコーダ本体２３を上板部３ａの左奥側のテープレコーダ取付部２１に取り付けたから、例えば、楽器本体１を演奏者の膝に乗せて演奏するときの回動中心Ｏ、あるいは楽器ケース１に設けられた２つのストラップ取付金具１０にストラップを取り付け、このストラップで演奏者の肩に吊り下げて演奏するときの楽器本体１の回動中心（つまり２つのストラップ取付金具１０の中間部分）Ｐのいずれの個所からも、テープレコーダ本体２３が離れているので、演奏時に楽器本体１が各回動中心Ｏ、Ｐを中心に回動するように動いても、この動きに伴ってテープレコーダ本体２３が回動するように動くことがなく、ほぼ直線に近い往復運動となるため、テープレコーダ本体２３に回転ムラが生じにくくなり、テープレコーダ本体２３を安定して動作させることが可能になる。
【００１３】
次に、図５および図６を参照して、この発明に係る弦楽器の第２実施例について説明する。なお、図１〜図４に示された第１実施例と同一名称の部分には、同一符号を付し、その説明は適宜省略する。
この電気ギターは、図５に示すように、補強板５を介してネック６などの第１部品群が取り付けられた下ケース２と、テープレコーダ本体２３、回路基板２６、およびスピーカ２０などの第２部品群が取り付けられた第１上ケース（第２ケース）４５と、この第１上ケース３と異なる機能を有する第２部品群が取り付けられた第２上ケース（他の第２ケース）４６と備え、下ケース２に対して第１上ケース４５と第２上ケース４６とが交換可能に取り付けられる構造になっている。すなわち、第１上ケース４５は、第１実施例と全く同じ構造で、かつ第１実施例と全く同じ第２部品群が組み込まれている。一方、第２上ケース４６は、外形が第１上ケース３とほぼ同じ形状に形成されている。そして、この第２上ケース４６内には、テープレコーダ本体２３に換えてリズム演奏を自動的に行なうリズム音源回路（所定のリズム楽音信号を所定のテンポで自動的に生成出力する回路）が形成されたリズム音源基板４７が取り付けられているほか、第１上ケース３と同様、ピックアップ１８、スピーカ２０、および回路基板２６が取り付けられている。したがって、第２上ケース４６に取り付けられる第２部品群は、第１上ケース４５に取り付けられる第２部品群と機能が異なっている。
【００１４】
このような電気ギターを組み立てる場合には、図６に示すように、まず、下ケース２に補強板５を介してネック６を取り付けるとともに第１部品群を組み付け、また第１上ケース４５および第２上ケース４６にそれぞれ機能の異なる第２部品群を組み付ける。この後、下ケース２に第１上ケース４５と第２上ケース４６のいずれかを第１実施例と同じ振動吸収部材（図示せず）を介在させてビスで接合する。これにより、電気ギターが組み立てられる。
このように、この電気ギターでは、互いに異なる機能を有する複数の機種を製造する場合、下ケース２を全ての機種に対し共通な構造にすることにより、この下ケース２に対して、機能の異なる第２部品群が組み込まれた上ケース４５、４６のいずれかを取り付けるだけで、機種の異なる弦楽器を容易に製造することができ、しかも下ケース２が全ての機種に対し共通であるから、製造工程が簡略化でき、製造コストを抑制することができる。
また、この電気ギターでは、これを所有しているユーザに向けて、機能の異なる第２部品群が組み込まれている上ケースのみを販売すれば、ユーザが上ケースのみを購入して交換するだけで、新たな機能の電気ギターを手に入れることができる。
【００１５】
なお、上記第１、第２の各実施例では、第２部品群として、テープレコーダ、リズム音源回路を用いた場合について述べたが、これに限らず、例えば、液晶表示装置、液晶テレビジョン、音源、周波数抽出装置、チューニングメータ、ＭＤ（ミニディスク）レコーダ、ＤＣＣ（デジタルコンパクトカセット）レコーダ、ＣＤプレーヤ、ＤＡＴ（デジタルオーディオテープ）レコーダ、マルチトラックテープレコーダ、シーケンサ（自動演奏装置）、およびその他の部品を用いてもよい。
また、上記実施例では、電気ギターに適用した場合について述べたが、これに限らず、例えばバイオリン、チェロなどの弦楽器に広く適用することができる。
【００１６】
【発明の効果】
本発明によれば、楽器本体の下ケースに弦振動に係わる弦振動系の部品群を取り付け、この弦振動系の部品群は少なくとも本体側の弦固定部材及びネックを有し、これらが剛性の高い材料からなる補強部材を介して当該下ケースに取り付けるようにしたので、弦振動系の部品群は強固に取り付けることができる。
この場合に、弦振動に係わる弦振動系の部品群を取り付けられた下ケースは、張設された弦の直下の上ケースに対向するようにしたので、振動によって動作が不安定になる部品に振動が伝わりにくくすることができる。
更に、上ケースと下ケースとの間に振動吸収部材を介在させることで、より一層、振動によって動作が不安定になる部品に対して振動を伝えないようにすることができる。
【図面の簡単な説明】
【図１】この発明の第１実施例の電気ギターの正面図。
【図２】図１の要部分解斜視図。
【図３】図１のＡ−Ａ断面図。
【図４】図３の要部拡大図。
【図５】この発明の第２実施例の電気ギターを示す要部に分解した概略斜視図。
【図６】図５の電気ギターの組立て手順を示す概略的な工程図。
【符号の説明】
１  楽器本体
２  下ケース
３  上ケース
５  補強板
６  ネック
１７  ブリッジ基板
２０  スピーカ
２３  テープレコーダ本体
２６  回路基板
３０  振動吸収部材
３７  トレモロブロック
３８  ヘッド
３９  ペグ
４０  弦
４１  コイルバネ
４５  第１上ケース
４６  第２上ケース
４７  リズム音源基板
Ｏ、Ｐ  楽器本体の回動中心
【図１】
0003610414.tif 000002
【図２】
0003610414.tif 000003
【図３】
0003610414.tif 000004
【図４】
0003610414.tif 000005
【図５】
0003610414.tif 000006
【図６】
0003610414.tif 000007